(57)【要約】      （修正有）【課題】より省スペースに折り畳みが可能で、より簡便に折り畳みができるごみ収集箱を提供する。【解決手段】網及び前記網を巻き取る軸が設けられた背面板２と、前記背面板と回転可能に接続され、折り畳み可能で、かつ、広げた状態において前方にいくに従い曲率をもって低くなる一対の側面板３１等と、前記一対の側面板と回転可能に接続され、かつ接地用ローラーが付された前面板４と、前記前面板に設置される引き出し部材５と、を有するゴミ収集箱とする。【選択図】図１
0003152570.tif 000002
【実用新案登録請求の範囲】
【請求項１】
網及び前記網を巻き取る軸が設けられた背面板と、
前記背面板と回転可能に接続され、折り畳み可能で、かつ、広げた状態において前方にいくに従い曲率をもって低くなる一対の側面板と、
前記一対の側面板と回転可能に接続され、かつ接地用ローラーが付された前面板と、
前記前面板に設置される引き出し部材と、を有するゴミ収集箱。
【請求項２】
前記背面板、側面板、前面板のいずれもが金属枠と、前記金属枠内に張られた金属網により構成されている請求項１記載のゴミ収集箱。
【請求項３】
前記網の縁に、錘が付されている請求項１記載のゴミ収集箱。
【請求項４】
前記背面板に、掲示板を備えた請求項１記載のゴミ収集箱。
【考案の詳細な説明】
【技術分野】
【０００１】
本考案は、ゴミ収集箱に関し、より詳細には、折り畳み可能なごみ収集箱に関する。
【背景技術】
【０００２】
日常生活において生じる家庭ごみは、一般に、住宅近隣の定められた場所に定められた曜日に集められ、ゴミ収集車によって回収される。この際、カラスや猫等によるゴミの散乱を防止する観点を主として、ゴミ収集ネットやゴミ収集箱を設置する場合が多い。
【０００３】
ゴミ収集ネットは、集められた複数のごみ袋全体を覆うように配置するだけで済むため簡便である一方、カラス等が簡単に中のゴミをあさってしまうのを許してしまう場合が多く、また、ゴミを雑然と置くことを許容せざるをえず、課題も多い。
【０００４】
一方で、ゴミ収集箱は、背面板、側面板、蓋を有しているのが一般的であり、このようにすることで、カラス等がゴミをあさってしまうのを防止し、景観悪化防止、ゴミ収集、分別の効率向上を図ることができるといった利点がある。
【０００５】
なお、ゴミ収集箱に関する公知の技術として、たとえば、下記特許文献１には、背面枠の支柱を地中に固定し、前面枠の支柱を背面枠に回動枠で接続することで、折りたたみが可能な式ゴミ箱に関する技術が開示されている。
【特許文献１】特開２００７−１５８５６号公報
【考案の開示】
【考案が解決しようとする課題】
【０００６】
しかしながら、上記特許文献１に記載の技術では、広げる際及び折りたたむ際に前面枠を上下に大きく動かさなければならないといった課題があり、これを回避する場合は奥行きを薄くしなければならないといった課題がある。
【０００７】
そこで、本考案は、上記課題を鑑み、より省スペースに折り畳みが可能で、より簡便に折り畳みができるごみ収集箱を提供することを目的とする。
【課題を解決するための手段】
【０００８】
上記課題を解決するため本考案の一観点に係るゴミ収集箱は、網及び網を巻き取る軸が設けられた背面板と、背面板と回転可能に接続され、折り畳み可能で、かつ、広げた状態において前方にいくに従い曲率をもって低くなる一対の側面板と、一対の側面板と回転可能に接続され、かつ接地用ローラーが付された前面板と、前面板に設置される引き出し部材と、を有する。
【０００９】
なお、本観点において、限定されるわけではないが、背面板、側面板、前面板のいずれもが金属枠と、前記金属枠内に張られた金属網により構成されていることが好ましい。
【００１０】
なお、本手段において、限定されるわけではないが、網の縁に、錘が付されていることが好ましい。
【００１１】
また、本観点において、限定されるわけではないが、背面板に、掲示板を備えたことが好ましい。
【考案の効果】
【００１２】
以上、本考案により、より省スペースに折り畳みが可能で、より簡便に折り畳みができるゴミ収集箱を提供することができる。
【図面の簡単な説明】
【００１３】
【図１】実施形態に係るごみ収集箱を広げた状態における概略斜視図である。
【図２】実施形態に係るごみ収集箱を折り畳んだ状態における概略斜視図である。
【図３】実施形態に係るごみ収集箱を広げた状態における概略左側面図である。
【図４】実施形態に係るごみ収集箱を折り畳んだ状態における概略左側面図である。
【図５】実施形態に係るゴミ収集箱の背面板及び側面板を上から見た場合の概略図である。
【考案を実施するための最良の形態】
【００１４】
以下、本考案の実施の形態について、図面を用いて詳細に説明する。ただし、本考案は多くの異なる形態による実施が可能であり、以下に示す実施形態、実施例の例示に狭く限定されるものではない。
【００１５】
図１は、本実施形態に係るゴミ収集箱（以下「本ゴミ収集箱」という。）１を広げた場合における概略斜視図を示す。また図２は、本ゴミ収集箱１を折り畳んだ場合における概略斜視図を示す。また図３は、本ごみ収集箱１を広げた場合における概略左側面図を示す。また図４は、本ごみ収集箱１を折り畳んだ状態における概略左側面図を示す。
【００１６】
これらの図で示されるよう、本実施形態に係るゴミ収集箱１は、網２１及びこの網２１を巻き取る軸２２が設けられた背面板２と、背面板２と回転可能に接続され、折り畳み可能で、かつ、広げた状態において前方にいくに従い曲率をもって低くなる一対の側面板３１、３２と、一対の側面板３１、３２と回転可能に接続され、かつ接地用ローラー４３が付された前面板４と、前面板４に設置される引き出し部材５と、を有する。なお、軸及び巻き取られた軸の周囲には収納部が形成されており、軸はこの収納部に収納される。
【００１７】
本実施形態において、背面板２は、ゴミ収集箱１の壁部分を構成する部材の一つである。本背面板２は、地面固定部２２を有し、地面に固定される。背面板２は、カラス等がゴミの存在を認識できないよう不透明な平板で構成されていてもよいが、カラス等のくちばしが入らない程度のものであれば、金属枠と、この枠内に張られる金属網で構成すると、カラス等による散乱と通気性の双方を確保することができ、より効果が高くなる。
【００１８】
また、背面板２には上記のとおり網２１及び網２１を巻き取る軸２２が設けられている。網２１は、ゴミ収集箱を使用しない場合においては軸２２に巻き取られており、ゴミ収集箱を開き、ゴミを収集する際には、軸２２から広げられ、ゴミの上に配置される。なお、軸２２には、網２１の巻取りを容易にするため、ハンドルが設けられていることが好ましい。このようにすることで、ゴミ収集箱を広げた状態においてゴミを多いカラス等の侵入を防ぐよう一対の側面板、前面板及びこれにより囲まれる領域の上に被せることができ、景観悪化防止、ゴミ収集、分別の効率向上を図ることができるようになる。
【００１９】
図５は、背面板２及び一対の側面板３１、３２を上から見た場合における概略図を示しておく。図５（ａ）は側面板を折り畳んだ状態、図５（ｂ）は広げた場合の状態をそれぞれ示している。
【００２０】
本実施形態において一対の側面板３１、３２は、背面板２と回転可能に接続されている。側面板３１、３２は、地面に対して略平行（水平）な面上で回転可能となっていることが好ましい。背面板２と側面板３１、３２の接続は、上記の限り限定されるわけではないが、ヒンジや、軸部材と、この軸部材を収納する受部材との組合せを用いてもよい。また側面板３１、３２は、平板を用いることも可能であるが、上記背面板２と同様、金属の枠と、この枠内に張られた金属網からなることも好ましい一例である。
【００２１】
また一対の側面板３１、３２は、折り畳み可能であることが好ましく、例えば上記図で示すように、一対の側面板３１、３２のそれぞれは、複数の小側面板３１１、３１２、３２１、３２２からなり、これらをそれぞれ水平面上で回転可能となるように接続しておくことが好ましい。このようにすることで、ゴミ収集箱の奥行きを十分に広く確保することができるとともに、側面板に前面板を接続しても滑らかに引き出すことができるようになる。なおこの場合において、側面板３１、３２は、ゴミ収集箱内側に折り畳み可能となっていることがよりコンパクトになる点で好ましく、小側面板同士の接続は、ヒンジ、軸部材と受部材との組み合わせ等の回転支持部材であることが好ましい。また小側面板の少なくとも一方には、広げた状態を安定的に保つこと及び所望の方向とは反対の方向に折り曲がらないように抑え板３１３、３２３を設けられていることはより好ましい。
【００２２】
また、一対の側面板３１、３２のそれぞれは、広げた状態において、前方にいくに従い曲率をもって低くなること、上辺が前方（背面板から前面板の方向）に行くに従いなだらかに傾斜して下がっていることが好ましい。これによりゴミ収集時において、網２１をゴミの上に広げたとしても、側面板の角による網の引っかかりを防止することができ、ゴミ収集箱の使用者（以下「使用者」という。）がより使用しやすくなるといった利点がある。
【００２３】
本実施形態において前面板４は、ゴミ収集箱の一側面を構成するものであり、一対の側面板３１、３２と回転可能に接続されている。また前面板４には下部に接地用ローラーが付されている。このような構成とすることで、滑らかに前面板４を押す又は引くことが可能となり、滑らかにゴミ収集箱を広げ、また、折り畳むことができるようになる。また前面板４は、上記側面板３１の前面側一辺と同じ高さとなっていることは好ましい一態様である。
【００２４】
また前面板４には、接地用ローラー４３及び引き出し部材５が付されている。実際、前面板４は使用者の腰の位置よりも低い位置に配置されている場合も多いことから、引き出し部材５を配置することで、前面板４に力をくわえやすくできるといった効果がある。なお、引き出し部材５は、前面板４に対し回転可能に接続されていることが好ましい。なお、前面板としては、上記背面板と同様、平板であってもよいが、金属枠とこの金属枠に張られた金属網とを有して構成されていることが好ましい。
【００２５】
なお本実施形態において、背面板２には、更に掲示板が備え付けられていることが好ましい。このようにすることで使用者間の連絡を容易に行なうことができるようになるだけでなく、遠くからであっても視認するための目印とすることができる。また例えば、掲示板に広告を付することで、広告収入費を本ゴミ収集箱の購入費の一部に当てることが可能となる。
【００２６】
次に、本実施形態に係るゴミ収集箱を広げる動作、折り畳む動作について説明する。まず使用者は、前面板４のフック４１に引っ掛けられた引き出し部材５を取り外し、折り畳まれたゴミ収集箱の前面板を前面に引きつつ一対の側面板３１、３２を広げ、ゴミ収集箱の側面及び前面を形成する。なお、前面板４に備えられる引き出し部材５は、前面板４が引き終わった場合、使用しなくなるため、危険防止のため、再びフック４１に引っ掛けておくと良い。そして、網２１を軸２２から引っ張り、側面板及び前面板により囲まれる領域の上に網２１を広げておく。使用者は、ゴミを入れる際、この網を持ち上げ、ゴミを入れる。なお、網２１の縁には鎖等の重りが配置されているため、カラス等の小動物が持ち上げて中のゴミを散乱させてしまうおそれは少ない。
【００２７】
一方、ゴミ収集箱を折り畳む動作としては、まず、ハンドル２３を用いて軸２２を回転させ網２１を十分に回収する。次に、前面板４のフック４１に引っ掛けられた引き出し部材５を開放し、そして引き出し部材５を押して前面板を後退させ、十分に側面板、前面板が畳まれたことを確認し、再びフック４１に引き出し部材５を掛けることで収納が完了する。これにより、非常に容易に折り畳みが可能となる。なお本実施形態に係るゴミ収集箱は底部を有していないため、ゴミ袋からこぼれる小さなゴミが発生したとしても、ゴミ箱の中にとどまることなく、地面にそのまま残される。従って、使用後ゴミ箱を畳んだ後、道路を箒、ちりとり等で漏れなく掃除することができ、ゴミの取り残しを防止し清潔な状態を保つことができる。
【００２８】
なお、本実施形態において、網２１の縁には、錘が付されていることが好ましい。このようにすることで、側面板、前面板の外側に網を垂らし、その状態を安定的に維持することができるようになる。錘としては限定されるわけではないが、例えば鎖２４を用いることは好ましい一例である。このようにすると、軸を回して網を引き出す際、錘の重さにより自然に網を側面板及び前面板の上に広げることができるようになる。
【００２９】
以上の通り、本考案によると、より省スペースに折り畳みが可能で、より簡便に折り畳みができるゴミ収集箱を提供することができる。
【産業上の利用可能性】
【００３０】
本考案は、ゴミ収集箱として産業上の利用可能性がある。
【符号の説明】
【００３１】
１…ゴミ収集箱、２…背面板、３１・３２…側面板、４…前面板、５…引き出し部材
【図１】
0003152570.tif 000003
【図２】
0003152570.tif 000004
【図３】
0003152570.tif 000005
【図４】
0003152570.tif 000006
【図５】
0003152570.tif 000007